(57)【要約】【課題】紫外線を浴びることによる人体への悪影響を回避し、ＲＧＢのどの蛍光体であってもムラが明瞭化されるムラ検査装置を提供する。【解決手段】蛍光材料を発光させる励起照明手段と、特定色だけに感度を有する撮像手段と、前記撮像手段が検査対象を撮像して得た撮像画像における特定色の画素を抽出する特定色画素抽出手段と、前記抽出した画素を密に再配列した再配列画像を生成する再配列手段と、再配列画像を表示する表示手段と、再配列画像に基づいてムラを検出するムラ検出手段と、検出したムラに基づいて検査対象の良否を判定する良否判定手段とを具備するようにしたムラ検査装置。【選択図】　図１
2004045353.tif 000002
【特許請求の範囲】
【請求項１】
特定色だけに感度を有する撮像手段と、前記撮像手段が検査対象を撮像して得た撮像画像における前記特定色の画素を抽出する特定色画素抽出手段と、前記抽出した画素を密に再配列した再配列画像を生成する再配列手段と、前記再配列画像を表示する表示手段と、を具備することを特徴とするムラ検査装置。
【請求項２】
請求項１記載のムラ検査装置において、前記検査対象は蛍光材料により形成された周期性パターンを有する検査対象であって、前記蛍光材料を発光させる励起照明手段を具備することを特徴とするムラ検査装置。
【請求項３】
請求項１または２記載のムラ検査装置において、前記特定色はＲＧＢの三色であって前記撮像手段はＲＧＢの各色の光学フィルターを有する３つのモノクロカメラであることを特徴とするムラ検査装置。
【請求項４】
請求項１〜３のいずれかに記載のムラ検査装置において、前記特定色抽出手段は、前記撮像画像における画素値を所定のしきい値と比較して前記特定色の画素を抽出することを特徴とするムラ検査装置。
【請求項５】
請求項１〜４のいずれかに記載のムラ検査装置において、前記再配列手段は、前記抽出した画素を行方向または列方向に詰めて再配置することを特徴とするムラ検査装置。
【請求項６】
請求項１〜５のいずれかに記載のムラ検査装置において、前記再配列画像に基づいて前記検査対象のムラを検出するムラ検出手段と、検出したムラに基づいて前記検査対象の良否を判定する良否判定手段とを具備することを特徴とするムラ検査装置。
【発明の詳細な説明】
【０００１】
【発明の属する技術分野】
本発明は、カラー周期性パターンにおけるムラ（不均一性）を検査する技術分野に属する。
【０００２】
【従来の技術】
カラー周期性パターンが形成されている工業製品として、プラズマディスプレイパネルの背面板、カラーＥＬ（ｅｌｅｃｔｒｏｌｕｍｉｎｅｓｃｅｎｃｅ）ディスプレイパネルの発光層、液晶ディスプレイに用いられるカラーフィルタ、等を挙げることができる。これらのカラー周期性パターンにおけるムラ（不均一性）は製品の品質を決定する重要な要素の１つであるため必ず検査が行なわれる。
【０００３】
たとえば、プラズマディスプレイパネルの背面板には間隔を置いて平行に配列する隔壁の間にＲＧＢ（ｒｅｄ，ｇｒｅｅｎ，ｂｌｕｅ）の蛍光体が順番に繰返し形成されている。そのムラの検査としては、ＵＶ（ｕｌｔｒａ　ｖｉｏｌｅｔ：紫外線）光源を背面板に照射して蛍光体を励起発光させ、その発光におけるムラの状態を人間が目視により認識し、良否を判定する検査が行なわれている。
【０００４】
【発明が解決しようとする課題】
このムラ検査においては、人間はＵＶ光源の近くで長時間に渡って作業しなければならず、紫外線を浴びることによる人体への悪影響を回避することが困難である。また、蛍光体はＲＧＢの各色で個別に塗布されるため、ムラの状態もＲＧＢの各色で異なっていることが多い。ところが、上述の目視検査ではＲＧＢの各蛍光体を個別に検査することができないため、ＲＧＢの各蛍光体のいずれの塗布工程で発生したムラであるのかを特定することができない。またＵＶ光源に固有の発光波長特性によってＲＧＢの各蛍光体が均一に発光しないため、各蛍光体によってムラの見え方が異なる。
【０００５】
本発明は上述の問題を解決するためになされたものである。その目的は、紫外線を浴びることによる人体への悪影響を回避し、ＲＧＢのどの蛍光体であってもムラが明瞭化されるムラ検査装置を提供することにある。
【０００６】
【課題を解決するための手段】
本発明の請求項１に係るムラ検査装置は、特定色だけに感度を有する撮像手段と、前記撮像手段が検査対象を撮像して得た撮像画像における前記特定色の画素を抽出する特定色画素抽出手段と、前記抽出した画素を密に再配列した再配列画像を生成する再配列手段と、前記再配列画像を表示する表示手段とを具備するようにしたものである。
【０００７】
本発明によれば、撮像手段により特定色に感度を有する撮像画像が得られ、特定色画素抽出手段により撮像画像における特定色の画素が抽出され、再配列手段により抽出した画素を密に再配列した再配列画像が生成され、表示手段により再配列画像が表示される。すなわち、特定色がカラー周期性パターンの色であれば、この再配列画像は検査対象におけるそのパターンの部分だけを集積した画像であり周期的な変化がなくなり平坦化された画像である。したがって、特定色のカラー周期性パターンにおけるムラを明瞭化するムラ検査装置が提供される。また、表示手段において目視検査が行えるから、紫外線を浴びることによる人体への悪影響が回避される。
【０００８】
また本発明の請求項２に係る検査装置は、請求項１に係るムラ検査装置において、前記検査対象は蛍光材料により形成された周期性パターンを有する検査対象であって、前記蛍光材料を発光させる励起照明手段を具備するようにしたものである。本発明によれば、蛍光材料によって形成されたカラー周期性パターンが検査される。
【０００９】
本発明の請求項３に係る検査装置は、請求項１または２に係るムラ検査装置において、前記特定色はＲＧＢの三色であって前記撮像手段はＲＧＢの各色の光学フィルターを有する３つのモノクロカメラであるようにしたものである。本発明によれば、ＲＧＢの各色について個別に撮像条件が設定されるからＲＧＢのどの特定色、どの色の蛍光体であってもムラが明瞭化される。
【００１０】
本発明の請求項４に係る検査装置は、請求項１〜３のいずれかに係るムラ検査装置において、前記特定色抽出手段は、前記撮像画像における画素値を所定のしきい値と比較して前記特定色の画素を抽出するようにしたものである。本発明によれば、画素値と所定のしきい値との比較から特定色の画素が抽出される。
【００１１】
本発明の請求項５に係る検査装置は、請求項１〜４のいずれかに係るムラ検査装置において、前記再配列手段は、前記抽出した画素を行方向または列方向に詰めて再配置するようにしたものである。本発明によれば、特定色のカラー周期性パターンがストライプであればそのストライプの長手方向に対して直角方向（幅方向）に詰めて再配置することにより周期的な変化がなくなり平坦化された画像が得られる。
【００１２】
本発明の請求項６に係る検査装置は、請求項１〜５のいずれかに係るムラ検査装置において、前記再配列画像に基づいて前記検査対象のムラを検出するムラ検出手段と、検出したムラに基づいて前記検査対象の良否を判定する良否判定手段とを具備するようにしたものである。本発明によれば、ムラ検出手段により再配列画像に基づいて検査対象のムラが検出され、良否判定手段により検出したムラに基づいて検査対象の良否が判定される。したがって、自動検査を行うムラ検査装置が提供される。
【００１３】
【発明の実施の形態】
次に、本発明について実施の形態に基づいて説明する。本発明のムラ検査装置について説明する前に、典型的な検査対象であるプラズマディスプレイパネルの背面板の構造について図４を参照して説明しておく。図４はプラズマディスプレイパネルの背面板の構造を示す図であって、図４（Ａ）は全体の上面図、図４（Ｂ）は部分拡大した上面図、図４（Ｃ）は部分拡大した側面図である。図４において、１００は背面板（検査対象）、１０１はガラス基板、１０２は隔壁、１０３は蛍光体である。
【００１４】
図４に示すように、カラー表示を行うプラズマディスプレイパネル（ＰＤＰ）では背面板１００に平行線状に複数配列で隔壁１０２が形成される。隔壁と隔壁の間のには蛍光面１０３が設けられる。各隔壁と隔壁の間の蛍光面１０３にはＲＧＢ各色で発光する蛍光体材料の１つが充填され、背面板１００はそのＲＧＢ各色のストライプ状の蛍光面が３つから成る組を多数配列した構造となる。図４において、Ｂ領域、Ｒ領域、Ｇ領域はその各色の発光領域を示している。
【００１５】
ＡＣ型ＰＤＰにおいては、前面板（図示せず）と上述の背面板１００が互いに平行に且つ対向して配設されており、両者は背面板１００となるガラス基板１０１上に互いに平行に設けられた隔壁１０２により一定の間隔に保持されている。前面板となるガラス基板の背面板側には、放電維持電極として、透明電極とバス電極としての金属電極とで構成される複合電極が互いに平行に形成され、これを覆って誘電体層が形成されており、さらにその上に保護層（ＭｇＯ層）が形成されている。
【００１６】
また、背面板１００となるガラス基板１０１の前面板側には上述の複合電極と直交するように隔壁１０２の間に位置してアドレス電極（図示せず）が互いに平行に形成されている。このアドレス電極は、背面板１００となるガラス基板１０１に誘電体からなる下地層を形成した上に設けられ、更にその上に誘電体層が積層される。隔壁１０２は、その誘電体層の上に設けられ、さらに隔壁１０２の壁面とセル底面を覆うようにして蛍光面１０３が設けられている。
【００１７】
この前面板と背面板１００の間にはネオンを主体としキセノンを含む希ガスが封入される。アドレス電極により書き込みを行った後、前面板上の複合電極に交流電圧を印加し空間に生成した電界により放電させる。この放電により生じる紫外線により蛍光面１０３を発光させ、前面板を透過する光を観察者が視認できる。
【００１８】
次に、本発明のムラ検査装置の構成について図１を参照して説明する。図１は、検査対象が上述のプラズマディスプレイの背面板であるときに好適な一例として、本発明のムラ検査装置における構成を示す図である。図１において、１ａ，１ｂ，１ｃは、ラインセンサカメラ、２ａはＲフィルタ、２ｂはＧフィルタ、２ｃはＢフィルタ、３１ａ，３１ｂ，３２ａ，３２ｂ，３３ａ，３３ｂはＵＶ光源、１００は背面板（検査対象）である。また、矢印は背面板１００の搬送方向を示している。
【００１９】
ラインセンサカメラ１ａ，１ｂ，１ｃは、受光素子を直線状に配列したＣＣＤ（ｃｈａｒｇｅ　ｃｏｕｐｌｅｄ　ｄｅｖｉｃｅ）等のセンサ、その駆動回路、結像光学系、信号増幅器、等から成り、直線状の撮像領域を有する撮像手段である。ラインセンサカメラ１ａ，１ｂ，１ｃによる主走査と背面板１００の搬送による副走査により２次元の撮像画像を得ることができる。図１に示す一例においては、ラインセンサカメラ１ａ，１ｂ，１ｃは、背面板１００の表面を垂直上方から撮像する。そしてラインセンサカメラ１ａ，１ｂ，１ｃの主走査方向は背面板１００に形成された隔壁の方向と一致する。ラインセンサカメラ１ａ，１ｂ，１ｃは、その主走査に対応する撮像信号を出力する。
【００２０】
図１に示すように、ラインセンサカメラ１ａ，１ｂ，１ｃは、背面板１００の搬送路において、搬送方向にその順番に配置されている。したがって、各々のラインセンサカメラ１ａ，１ｂ，１ｃは、個別に撮像条件を設定することができる。各々のラインセンサカメラ１ａ，１ｂ，１ｃは、異なった波長帯域に感度を有する。ラインセンサカメラ１ａは赤色（Ｒ：ｒｅｄ）の光に感度を有し、ラインセンサカメラ１ｂは緑色（Ｇ：ｇｒｅｅｎ）の光に感度を有し、ラインセンサカメラ１ｃは青色（Ｂ：ｂｌｕｅ）の光に感度を有する。
【００２１】
Ｒフィルタ２ａは、赤色の光を通過する光学フィルターである。Ｒフィルタ２ａは、ラインセンサカメラ１ａの光学系に取付けられており、前述の赤色の光に対する感度を付与する。
同様にＧフィルタ２ｂは、緑色の光を通過する光学フィルターである。Ｇフィルタ２ｂは、ラインセンサカメラ１ｂの光学系に取付けられており、前述の緑色の光に対する感度を付与する。
同様にＢフィルタ２ｃは、青色の光を通過する光学フィルターである。Ｂフィルタ２ｃは、ラインセンサカメラ１ｃの光学系に取付けられており、前述の青色の光に対する感度を付与する。
【００２２】
ＵＶ光源３１ａ，３１ｂは、背面板１００の蛍光面を励起発光させるための紫外線を放出する光源である。ＵＶ光源３１ａ，３１ｂは、直管形状の光源でラインセンサカメラ１ａの直線状の撮像領域の両側から紫外線を照射する。ＵＶ光源３１ａ，３１ｂは、その蛍光面における赤色発光する蛍光体を特に効率良く励起する赤色発光専用のＵＶ光源を使用すると好適である。
【００２３】
同様にＵＶ光源３２ａ，３２ｂは、背面板１００の蛍光面を励起発光させるための紫外線を放出する光源である。ＵＶ光源３２ａ，３２ｂは、直管形状の光源でラインセンサカメラ１ｂの直線状の撮像領域の両側から紫外線を照射する。ＵＶ光源３２ａ，３２ｂは、その蛍光面における緑色発光する蛍光体を特に効率良く励起する緑色発光専用のＵＶ光源を使用すると好適である。
【００２４】
同様にＵＶ光源３３ａ，３３ｂは、背面板１００の蛍光面を励起発光させるための紫外線を放出する光源である。ＵＶ光源３３ａ，３３ｂは、直管形状の光源でラインセンサカメラ１ｃの直線状の撮像領域の両側から紫外線を照射する。ＵＶ光源３３ａ，３３ｂは、その蛍光面における青色発光する蛍光体を特に効率良く励起する青色発光専用のＵＶ光源を使用すると好適である。
【００２５】
以上の構成において、次に、本発明のムラ検査装置の動作について、図２、図３を参照して説明する。図２はラインセンサカメラによる撮像画像を示す模式図である。また、図３は撮像画像に対するデータ処理（再配列処理）についての説明図である。
【００２６】
搬送経路において搬送される背面板１００は、各々のラインセンサカメラ１ａ，１ｂ，１ｃの撮像領域を順番に通過する。このとき、各々のラインセンサカメラ１ａ，１ｂ，１ｃが出力する撮像信号を搬送に同期しながら所定の間隔でムラ検査装置のデータ処理部（図示せず）が読み込む。同期は、たとえば、搬送手段（ベルトコンベヤ、等）の駆動ローラに設けられたロータリーエンコーダの出力パルス信号をデータ処理部が計数することによって行なわれる。
【００２７】
データ処理部は、ラインセンサカメラ１ａ，１ｂ，１ｃやロータリーエンコーダ、等とのインタフェース（入力部）を有するパーソナルコンピュータ、等のデータ処理装置によって実現される。データ処理部は、撮像信号の入力部において、１回の主走査による撮像信号を単位としてＡ／Ｄ（ａｎａｌｏｇ−ｔｏ−ｄｉｇｉｔａｌ）変換を行い、そのデータをメモリに記憶する。その１回の主走査のデータはメモリにおいて順番に追加記憶され、背面板１００が各々のラインセンサカメラ１ａ，１ｂ，１ｃの撮像領域を通過すると、背面板１００の全体に対応する各々の撮像画像がメモリに記憶される。
【００２８】
図２において、（Ａ）はラインセンサカメラ１ａによる撮像画像の一部を示す模式図である。前述のような構成を有するから、ラインセンサカメラ１ａによる撮像画像は、背面板１００におけるＲ領域（図４参照）の画素値が大きく、背面板１００におけるＧ領域とＢ領域の画素値が小さい。したがって、所定のしきい値で２値化することにより、Ｇ領域とＢ領域に対してＲ領域が区別される。これにより、データ処理部はＲ領域の画素だけを抽出する。
【００２９】
同様に、図２において、（Ｂ）はラインセンサカメラ１ｂによる撮像画像の一部を示す模式図である。前述のような構成を有するから、ラインセンサカメラ１ｂによる撮像画像は、背面板１００におけるＧ領域（図４参照）の画素値が大きく、背面板１００におけるＲ領域とＢ領域の画素値が小さい。したがって、所定のしきい値で２値化することにより、Ｒ領域とＢ領域に対してＧ領域が区別される。これにより、データ処理部はＧ領域の画素だけを抽出する。
【００３０】
同様に、図２において、（Ｃ）はラインセンサカメラ１ｃによる撮像画像の一部を示す模式図である。前述のような構成を有するから、ラインセンサカメラ１ｃによる撮像画像は、背面板１００におけるＢ領域（図４参照）の画素値が大きく、背面板１００におけるＲ領域とＧ領域の画素値が小さい。したがって、所定のしきい値で２値化することにより、Ｒ領域とＧ領域に対してＢ領域が区別される。これにより、データ処理部はＢ領域の画素だけを抽出する。
【００３１】
上述のようにして抽出された撮像画像におけるＲ領域、Ｇ領域、Ｂ領域の画素について、データ処理部は各々個別に密に再配列して再配列画像を生成する。図３は撮像画像に対するデータ処理（再配列処理）についての説明図である。図３はＲ領域の画素について密に再配列して再配列画像を生成する過程の説明図である。Ｇ領域、Ｂ領域についても同様であるから、ここではＲ領域の画素についてだけ再配列処理の説明を行い他は説明を省略する。
【００３２】
図３（Ａ）に示す説明図は、図２（Ａ）に示すラインセンサカメラ１ａによる撮像画像の一部を示す模式図と同じであるが、その一部分を矩形で示してある。その図３（Ａ）に示す矩形の領域を拡大したものが、図３（Ｂ）に示す説明図である。図３（Ｂ）においては、行列配置する画素が破線によって区切られた矩形として示されている。その矩形の内で▲１▼〜■と付されている矩
形は、図３（Ｂ）において一番上の行における画素である。▲１▼〜▲４▼の画素はＲ領域の画素ではなく、▲５▼〜■はＲ領域の画素である。
【００３３】
図３（Ｃ）に示す説明図は、Ｒ領域の画素について密に再配列して生成した再配列画像の一部分を拡大して示す説明図である。ここで「密に」というのは、画像におけるすべての画素がＲ領域の画素によって占められていることを意味する。再配列画像においては、▲１▼〜▲４▼の画素は欠落しておりＲ領域の画素である▲５▼〜■の画素はその順番に再配列している。すなわち、抽出したＲ
領域の画素である▲５▼〜■の画素は行方向に詰めて再配置されている。▲１▼〜■の画素について再配
置の方法を説明したが、他のすべての画素についても同様である。
【００３４】
上述のように、データ処理部は、抽出したＲ領域の画素を密に再配列して再配置画像を生成する。また、データ処理部は、抽出したＲ領域の画素を行方向または列方向に詰めて再配置する。背面板１００に形成されたＲ領域は図３（Ａ）に示すように撮像画像において列方向に延びるストライプである。このようなときには、抽出したＲ領域の画素を行方向に詰めて再配置することにより、画素を密に再配置することができる。また、撮像条件によっては、背面板１００に形成されたＲ領域が撮像画像において行方向に延びるストライプとして得られることがある。そのときには、抽出したＲ領域の画素を列方向に詰めて再配置することにより、画素を密に再配置することができる。
【００３５】
上述のようにして生成した再配列画像は、特定色がカラー周期性パターンの色であれば、背面板１００におけるそのパターンの部分だけを集積した画像であり周期的な変化がなくなり平坦化された画像である。したがって、特定色のカラー周期性パターンにおけるムラを明瞭化するムラ検査装置が提供される。また、上述のようにして生成した再配列画像は、ムラ検査装置の表示部において表示が行なわれる。すなわち、表示部において目視検査が行えるから、紫外線を浴びることによる人体への悪影響が回避される。
【００３６】
本発明のムラ検査装置は、生成した再配列画像を表示部に表示して目視検査する方法で使用することができる。また、生成した再配列画像に基づいて、自動検査を行う構成とすることもできる。すなわち、ムラ検出部と良否判定部を具備する構成とする。ムラ検出部は、再配列画像に基づいて背面板１００のムラを検出する。良否判定部は、検出したムラに基づいて背面板１００の良否を判定する。
【００３７】
このムラ検出部におけるデータ処理としては、周知のムラ検出処理、たとえば特開２０００−１１１４９２、等に開示されている方法を適用することができ、本発明においては限定されない。このデータ処理には、シェーディング補正処理、ノイズ除去処理、ムラ強調処理、ムラ抽出処理、等が含まれる。また、良否判定部におけるデータ処理としては、抽出されたムラの面積（画素数）が許容範囲内であるか否かを判定する処理、等が含まれる。
【００３８】
上記のデータ処理は、周知であるが、そのいくつかについて簡単に説明しておく。まずシェーディング補正処理について説明する。撮像画像には光量分布（照明ムラ）、結像レンズの透過角度によるムラ、センサの感度ムラ、増幅器の周波数特性、等の影響でシェーディングと呼ばれる不均一な背景画像がを含まれている。ムラを検査するためには、このシェーディングとムラとを明確に区別する必要性がある。そこで不均一な背景画像を補正するシェーディング補正処理が適用される。
【００３９】
シェーディング補正処理においては、たとえば、不均一な背景だけの画像に基づいて、その画像を均一化する補正係数を各画素に対して求めておく。そしてその補正係数に基づいて撮像画像を補正する。
また、ショーディングは空間周波数が小さく異物等の独立欠陥は空間周波数が高いという性質がある。そこで簡易的な方法として撮像画像に対して微分処理（差分処理）を適用しシェーディングの影響を実質的に無くすとともにムラ、等の欠陥を強調する。
【００４０】
ノイズ除去処理は、ノイズ（微小変動）を除去するための平滑化処理である。また、ムラ強調処理は、ムラを強調するための微分処理である。微分処理は、ムラの形状に応じて適用する空間フィルタを選択して適正な処理を行う。ムラ抽出処理は、所定のしきい値で２値化することにより限度を越えるムラの部位を抽出する処理である。
【００４１】
以上、本発明について実施の形態により説明を行ったが、本発明はこの実施の形態だけに限定されるものではない。本発明の技術思想に基づいて様々な形態で実施することができそれらも本発明に含まれる。たとえば、再配列画像を表示して目視検査を行うことを説明した。しかし、再配列画像がシェーディングを含みそれが問題となるような場合がある。その場合には、シェーディングとムラとを明確に区別するためシェーディング補正済の再配列画像を表示して目視検査を行う構成とする。また、同様に、再配列画像に対してノイズ除去処理、ムラ強調処理、ムラ抽出処理、等を行なって生成した画像を表示して目視検査を行う構成とすることができる。
【００４２】
【発明の効果】
以上のとおりであるから、本発明の請求項１に係るムラ検査装置によれば、特定色のカラー周期性パターンにおけるムラを明瞭化するムラ検査装置が提供される。また、表示手段において目視検査が行えるから、紫外線を浴びることによる人体への悪影響が回避される。
また本発明の請求項２に係る検査装置によれば、蛍光材料によって形成されたカラー周期性パターンを検査することができる。
本発明の請求項３に係る検査装置によれば、ＲＧＢの各色について個別に撮像条件が設定されるからＲＧＢのどの特定色、どの色の蛍光体であってもムラを明瞭化することができる。
本発明の請求項４に係る検査装置によれば、画素値と所定のしきい値との比較から特定色の画素を抽出することができる。
本発明の請求項５に係る検査装置によれば、周期性ストライプパターンの幅方向に詰めて再配置することにより周期的な変化がなくなり平坦化された画像を得ることができる。
本発明の請求項６に係る検査装置によれば、自動検査を行うムラ検査装置が提供される。
【図面の簡単な説明】
【図１】本発明のムラ検査装置における構成の一例を示す図である。
【図２】ラインセンサカメラによる撮像画像を示す模式図である。
【図３】撮像画像に対するデータ処理（再配列処理）についての説明図である。
【図４】典型的な検査対象であるプラズマディスプレイパネルの背面板の構造を示す図である。
【符号の説明】
１ａ，１ｂ，１ｃ　ラインセンサカメラ
２ａ　Ｒフィルタ
２ｂ　Ｇフィルタ
２ｃ　Ｂフィルタ
３１ａ，３１ｂ，３２ａ，３２ｂ，３３ａ，３３ｂ　ＵＶ光源
１００　背面板（検査対象）
１０１　ガラス基板
１０２　隔壁
１０３　蛍光体
【図１】
2004045353.tif 000003
【図２】
2004045353.tif 000004
【図３】
2004045353.tif 000005
【図４】
2004045353.tif 000006
【手続補正書】
【提出日】平成14年7月17日(2002.7.17)
【手続補正１】
【補正対象書類名】明細書
【補正対象項目名】００３２
【補正方法】変更
【補正の内容】
【００３２】
図３（Ａ）に示す説明図は、図２（Ａ）に示すラインセンサカメラ１ａによる撮像画像の一部を示す模式図と同じであるが、その一部分を矩形で示してある。その図３（Ａ）に示す矩形の領域を拡大したものが、図３（Ｂ）に示す説明図である。図３（Ｂ）においては、行列配置する画素が破線によって区切られた矩形として示されている。その矩形の内で▲１▼〜▲９▼と付されている矩形は、図３（Ｂ）において一番上の行における画素である。▲１▼〜▲４▼の画素はＲ領域の画素ではなく、▲５▼〜▲９▼はＲ領域の画素である。


【手続補正２】
【補正対象書類名】明細書
【補正対象項目名】００３３
【補正方法】変更
【補正の内容】
【００３３】
図３（Ｃ）に示す説明図は、Ｒ領域の画素について密に再配列して生成した再配列画像の一部分を拡大して示す説明図である。ここで「密に」というのは、画像におけるすべての画素がＲ領域の画素によって占められていることを意味する。再配列画像においては、▲１▼〜▲４▼の画素は欠落しておりＲ領域の画素である▲５▼〜▲９▼の画素はその順番に再配列している。すなわち、抽出したＲ領域の画素である▲５▼〜▲９▼の画素は行方向に詰めて再配置されている。▲１▼〜▲９▼の画素について再配置の方法を説明したが、他のすべての画素についても同様である。


【手続補正３】
【補正対象書類名】図面
【補正対象項目名】図３
【補正方法】変更
【補正の内容】
【図３】
2004045353.tif 000007